(57)【要約】【課題】シリンダと燃料吐出路とが交差する燃料吐出路の開口部に作用する応力を低減し、耐久性を向上させることができる燃料供給ポンプを提供する。【解決手段】燃料吸入弁を介して加圧室に吸入した燃料をプランジャによって加圧し、内燃機関の燃料噴射部が接続されたコモンレールに圧送する燃料供給ポンプにおいて、プランジャが摺動するシリンダの軸方向に連通するとともにシリンダの直径よりも小さい直径の小径空間部を備え、燃料吸入弁は、バルブピストンと、バルブピストンを摺動保持するバルブボディと、を備えるとともに、バルブボディはシリンダ側から小径空間部内に圧入されて固定されることを特徴とする。【選択図】図３
2010121452.tif 000002
【特許請求の範囲】
【請求項１】
燃料吸入弁を介して加圧室に吸入した燃料をプランジャによって加圧し、内燃機関の燃料噴射部が接続されたコモンレールに圧送する燃料供給ポンプにおいて、
前記プランジャが摺動するシリンダの軸方向に連通するとともに前記シリンダの直径よりも小さい直径の小径空間部を備え、
前記燃料吸入弁は、バルブピストンと、前記バルブピストンを摺動保持するバルブボディと、前記バルブピストンを閉弁方向に付勢するバルブスプリングと、を備えるとともに、前記バルブボディは前記シリンダ側から前記小径空間部内に圧入されて固定されることを特徴とする燃料供給ポンプ。
【請求項２】
前記バルブボディは、前記加圧室側に位置する大径部と、前記加圧室側とは反対側に位置する小径部と、前記大径部及び前記小径部をつなぐ外周段差部と、を備え、
前記シリンダ及び前記小径空間部の間には内周段差部が形成されており、
前記バルブボディの前記小径部を前記小径空間部内に圧入するとともに、前記バルブボディの前記外周段差部と前記内周段差部とを当接させることを特徴とする請求項１に記載の燃料供給ポンプ。
【請求項３】
前記内周段差部と前記外周段差部との当接部が、前記加圧室内の燃料漏れを防ぐためのシール面とされることを特徴とする請求項２に記載の燃料供給ポンプ。
【請求項４】
前記燃料吸入弁は、前記バルブピストンのリフト方向に作用する前記加圧室に吸入される前記燃料の圧力が、前記加圧室内の圧力と前記バルブスプリングの付勢力との和を上回ったときに開弁されるようになっており、前記バルブボディの圧入力は、少なくとも前記加圧室内に生じる負の圧力と前記燃料の圧力との和よりも大きくされることを特徴とする請求項１〜３のいずれか一項に記載の燃料供給ポンプ。
【請求項５】
前記小径空間部は、前記シリンダ側から切削加工されるとともに前記シリンダ側とは反対側の端部が閉じられた非貫通穴であることを特徴とする請求項１〜４のいずれか一項に記載の燃料供給ポンプ。
【請求項６】
前記小径空間部内の前記バルブボディの配置位置と重ならない位置に、前記小径空間部内に前記燃料を流入させるための燃料通路の開口部が設けられ、
前記バルブボディは前記シリンダの軸方向両端に開口する軸方向燃料通路を備え、
前記燃料通路を介して前記小径空間部に流入した前記燃料が、前記軸方向燃料通路を介して前記加圧室に供給されることを特徴とする請求項１〜５のいずれか一項に記載の燃料供給ポンプ。
【発明の詳細な説明】
【技術分野】
【０００１】
本発明は、コモンレールを備えた蓄圧式燃料供給システムに用いられる燃料供給ポンプに関し、特に、従来よりも高圧の燃料をコモンレールに圧送する燃料供給ポンプに関するものである。
【背景技術】
【０００２】
従来、ディーゼルエンジンをはじめとする内燃機関に燃料を供給する装置として、複数のインジェクタが接続されるとともに高圧の燃料が蓄圧されるコモンレールを備え、常時高圧化された燃料を各インジェクタに供給することによって、燃料の緻密な噴射制御を可能にした蓄圧式燃料供給装置（コモンレールシステム）が使用されている。
【０００３】
この蓄圧式燃料供給装置に用いられる燃料供給ポンプは、シリンダ内を摺動自在に保持されたプランジャの往復動によって容積が変化する加圧室に燃料を吸入するための燃料吸入弁を備えている。図６は、このような燃料吸入弁を備えた燃料供給ポンプの構成の一例を示す。この燃料供給ポンプ４１０の燃料吸入弁４２０は、バルブピストン４３５と、バルブピストン４３５を摺動自在に保持する摺動孔４３６を備えたバルブボディ４３３と、バルブピストン４３５の端部付近に固定されたスプリングシート４３７と、両端がバルブボディ４３３及びスプリングシート４３７によって挟持されバルブピストン４３５を閉弁方向に付勢するバルブスプリング４３９と、を備え、スクリュープラグ４３１の締付け力でバルブボディ４３３を押え付けることによって、バルブボディ４３３が固定されている（特許文献１参照）。
【０００４】
また、図６に示す燃料供給ポンプ４１０の構成では、プランジャ４２３の下降に伴って効率的にバルブピストン４３５がリフトされ燃料が吸入されるように、プランジャバレル４１５内のシリンダ４１５ａの上方開口部に燃料吸入弁４２０が配置されている。一方、シリンダ４１５ａの上方開口部に燃料吸入弁４２０が配置された場合、加圧された燃料を吐出する燃料吐出弁４２２は、シリンダ４１５ａの軸方向に対して側方側に、燃料吐出路４１５ｂを介して配置されている。
【０００５】
【特許文献１】特開２００６−３４２６９３号公報  （図２参照）
【発明の開示】
【発明が解決しようとする課題】
【０００６】
ところで、図６に示す燃料供給ポンプ４１０では、シリンダ４１５ａの軸方向に対して交差する方向に燃料吐出路４１５ｂが設けられており、シリンダ４１５ａと燃料吐出路４１５ｂとが交差する燃料吐出路４１５ｂの開口部のエッジに対して、シリンダ４１５ａの壁面に生じる応力が集中しやすい構成となっている。また、近年、排気ガスの浄化基準の高度化に伴い、燃料供給ポンプの吐出圧が高まってきているため、燃料吐出路の開口部のエッジに作用する応力が著しく大きくされ、当該エッジ付近の磨耗やひび割れ等の損傷が生じやすくなるという事情もある。
【０００７】
それにもかかわらず、図６に示す構成の燃料供給ポンプ４１０では、スクリュープラグ４３１の締付け力によってバルブボディ４３３を固定するとともに、バルブボディ４３３とプランジャバレル４１５との当接面に発生する面圧によって、加圧室４２５からの燃料漏れを防ぐようになっている。上述のとおり、燃料供給ポンプ４１０の吐出圧が高まってきていることからも、燃料漏れに対するシール性を高めるためには、このスクリュープラグ４３１の締付け力が従来よりも大きくされる。ところが、スクリュープラグ４３１の締付け力はシリンダ４１５ａの軸方向に作用するため、加圧室４２５と燃料吐出路４１５ｂとが交差する燃料吐出路４１５ｂの開口部のエッジに作用する応力がさらに増加して、燃料供給ポンプ４１０の耐久性が著しく低下するおそれがある。
【０００８】
そこで、本発明の発明者は鋭意努力し、シリンダの上方に燃料吸入弁が配置される構成の燃料供給ポンプにおいて、スクリュープラグ等の締付け力によって燃料吸入弁を固定するのではなく、プランジャバレルの小径空間部に圧入するバルブボディの圧入力によって燃料吸入弁を固定することにより、このような問題を解決できることを見出し、本発明を完成させたものである。すなわち、本発明は、シリンダと燃料吐出路とが交差する燃料吐出路の開口部のエッジに作用する応力を低減し、耐久性を向上させることができる燃料供給ポンプを提供することを目的とする。
【課題を解決するための手段】
【０００９】
本発明によれば、燃料吸入弁を介して加圧室に吸入した燃料をプランジャによって加圧し、内燃機関の燃料噴射部が接続されたコモンレールに圧送する燃料供給ポンプにおいて、プランジャが摺動するシリンダの軸方向に連通するとともにシリンダの直径よりも小さい直径の小径空間部を備え、燃料吸入弁は、バルブピストンと、バルブピストンを摺動保持するバルブボディと、バルブピストンを閉弁方向に付勢するバルブスプリングと、を備えるとともに、バルブボディはシリンダ側から小径空間部内に圧入されて固定されることを特徴とする燃料供給ポンプが提供され、上述した問題を解決することができる。
【００１０】
また、本発明の燃料供給ポンプを構成するにあたり、バルブボディは、加圧室側に位置する大径部と、加圧室側とは反対側に位置する小径部と、大径部及び小径部をつなぐ外周段差部と、を備え、シリンダ及び小径空間部の間には内周段差部が形成されており、バルブボディの小径部を小径空間部内に圧入するとともに、バルブボディの外周段差部と内周段差部とを当接させることが好ましい。
【００１１】
また、本発明の燃料供給ポンプを構成するにあたり、内周段差部と外周段差部との当接部が、加圧室内の燃料漏れを防ぐためのシール面とされることが好ましい。
【００１２】
また、本発明の燃料供給ポンプを構成するにあたり、燃料吸入弁は、バルブピストンのリフト方向に作用する加圧室に吸入される燃料の圧力が、加圧室内の圧力とバルブスプリングの付勢力との和を上回ったときに開弁されるようになっており、バルブボディの圧入力は、少なくとも加圧室内に生じる負の圧力と燃料の圧力との和よりも大きくされることが好ましい。
【００１３】
また、本発明の燃料供給ポンプを構成するにあたり、小径空間部は、シリンダ側から切削加工されるとともにシリンダ側とは反対側の端部が閉じられた非貫通穴であることが好ましい。
【００１４】
また、本発明の燃料供給ポンプを構成するにあたり、小径空間部内のバルブボディの配置位置と重ならない位置に、小径空間部内に燃料を流入させるための燃料通路の開口部が設けられ、バルブボディはシリンダの軸方向両端に開口する軸方向燃料通路を備え、燃料通路を介して小径空間部に流入した燃料が、軸方向燃料通路を介して加圧室に供給されることが好ましい。
【発明の効果】
【００１５】
本発明の燃料供給ポンプによれば、シリンダの上方開口部に燃料吸入弁が配置される構成において、燃料吸入弁のバルブボディがスクリュープラグ等の締付け力によって固定されるのではなく、バルブボディがシリンダの上方の小径空間部内に圧入されて固定されることによって、シリンダの壁面に対してシリンダの軸方向に作用する力が低減される。したがって、シリンダの軸方向に対して交差する方向に加圧室から分岐する燃料吐出路の開口部のエッジに作用する応力が低減される。その結果、燃料吐出路の開口部のエッジのひび割れや磨耗が生じにくくなり、燃料供給ポンプの耐久性の向上が図られる。
さらに、燃料吸入弁のバルブボディに負荷される締付け力を考慮する必要がなくなるため、燃料吸入弁の設計の自由度が高められることにもなる。
【００１６】
また、本発明の燃料供給ポンプにおいて、バルブピストンの外周段差部と、シリンダ及び小径空間部の間の内周段差部とが当接することにより、加圧室内の圧力が著しく上昇した場合であっても、バルブボディの配置位置がずれることを防ぐことができる。
【００１７】
また、本発明の燃料供給ポンプにおいて、バルブピストンの外周段差部と、シリンダ及び小径空間部の間の内周段差部との当接部がシール面とされることにより、加圧室内の圧力の上昇に伴い面圧も上昇するシール面となるため、加圧室からの燃料漏れに対するシール性を向上させることができる。
【００１８】
また、本発明の燃料供給ポンプにおいて、バルブボディの圧入力が、少なくとも加圧室内に生じる負の圧力と加圧室に吸入される燃料の圧力との和よりも大きいことにより、燃料吸入弁の脱落や位置ずれが防止されるとともに、製造時やメンテナンス時における取り外し作業が容易になる。
【００１９】
また、本発明の燃料供給ポンプにおいて、バルブボディが圧入される小径空間部が非貫通穴であることにより、プラグ等によって開口を塞ぐ必要がなくなり、燃料供給ポンプの外部への燃料漏れのおそれが低減される。
【００２０】
また、本発明の燃料供給ポンプにおいて、所定の流路構成を採用した燃料吸入弁が採用されることにより、シリンダよりも直径が小さい小径空間部内へ圧入可能な燃料吸入弁として、バルブボディの強度を確保しつつコンパクトにされた燃料吸入弁を構成することができる。
【発明を実施するための最良の形態】
【００２１】
以下、図面を参照して、本発明の燃料供給ポンプに関する実施の形態について具体的に説明する。ただし、かかる実施の形態は本発明の一態様を示すものであり、この発明を限定するものではなく、本発明の範囲内で任意に変更することが可能である。
なお、それぞれの図中、同じ符号を付してあるものは同一の部材を示しており、適宜説明が省略されている。
【００２２】
１．燃料供給ポンプの全体構成
図１は、本実施形態の燃料供給ポンプ１を複数のプランジャ１３の配列方向に沿って切断した断面図を示している。この燃料供給ポンプ１は、コモンレールシステムに用いられ、加圧室１４内の燃料を加圧するプランジャ１３が配置されるシリンダ１２ａが並列配置されたポンプであって、内燃機関のインジェクタ９５が接続されたコモンレール９３に燃料を加圧して圧送する高圧ポンプ部１０と、燃料タンク９１の燃料を汲み上げ高圧ポンプ部１０に送る低圧フィードポンプ部３と、高圧ポンプ部１０に送られる燃料の流量を調整するための流量制御弁５とを主な構成要素として備えている。
それぞれの構成要素は燃料通路で接続されており、燃料タンク９１内の燃料が燃料供給ポンプ１によって加圧されてコモンレール９３に圧送され、コモンレール９３に接続された複数のインジェクタ９５に対して高圧の燃料が供給される。その結果、インジェクタ９５の通電制御による内燃機関への燃料の緻密な噴射制御が可能になっている。
【００２３】
低圧フィードポンプ部３は、カムシャフト２３の端部に連結された駆動ギヤ（図示せず）と、当該駆動ギヤと連結された従動ギヤ（図示せず）とを含むギヤポンプ構造を有しており、カムシャフト２３が回転することで生じる負圧によって燃料タンク９１内の燃料を吸い上げ、圧送する。また、低圧フィードポンプ部３の上流側にはプレフィルタ（図示せず）が介在し、燃料タンク９１内の燃料に異物が混入している場合に、それらの異物が燃料供給ポンプ１内に流れ込まないようにプレフィルタによって捕集される。
【００２４】
また、流量制御弁５は、例えば、電磁比例制御弁を用いて構成され、低圧フィードポンプ部３と高圧ポンプ部１０との間の燃料通路に備えられている。そして、内燃機関の運転状態に応じて要求される燃料圧力に応じて通電量を調節することによって、高圧ポンプ部１０の加圧室１４に送り込む燃料の流量が調整される。
【００２５】
また、図示しないものの、燃料供給ポンプ１は、低圧フィードポンプ部３と流量制御弁５とを連通する燃料通路の途中から分岐して、流量制御弁５と並列的に配置されたオーバーフローバルブを備えている。このオーバーフローバルブは燃料タンク９１に連通する燃料還流路９７に接続されており、流量制御弁５に送られる燃料の圧力が規定値を超えたり、あるいは、流量制御弁５に送られる燃料の圧力とオーバーフローバルブよりも下流側の燃料還流路９７内の燃料の圧力との差が所定範囲を超えたりすると、オーバーフローバルブを介して燃料が燃料タンク９１に還流させられる。
このとき、オーバーフローバルブを介して還流される燃料は、後述する高圧ポンプ部１０のカム室１１ｂ内に送り、潤滑油として使用することもできる。燃料供給ポンプ１がこのように構成された場合には、カム室１１ｂ内の潤滑油として別途潤滑オイル等を使用する必要がなく、燃料が潤滑油として有効活用される。
【００２６】
次に、図１に示す燃料供給ポンプ１の高圧ポンプ部１０の構成について詳細に説明する。
図２は、図１のＸＸ断面を矢印方向に見た断面図を示している。この図２に示すように、本実施形態の燃料供給ポンプ１の高圧ポンプ部１０は、カム２１が回転可能に収容されたカム室１１ｂ及びカム２１の上方側に設けられた円柱空間１１ａを有するポンプハウジング１１と、円柱空間１１ａ内に装着されたプランジャバレル１２とを備えている。プランジャバレル１２の内部に設けられたシリンダ１２ａにはプランジャ１３が摺動可能に保持されており、プランジャ１３の端部にはスプリングシート１９が係止されている。また、ポンプハウジング１１の円柱空間１１ａには、スプリングシート１９とプランジャバレル１２とによって両端を挟持されたプランジャスプリング１５が配設されており、プランジャ１３が下方側に付勢されている。
【００２７】
また、プランジャ１３とカム２１との間には、ポンプハウジング１１の円柱空間１１ａの内周面と摺動可能な外周面を有するタペット構造体１８が介在しており、タペット構造体１８は、カム２１の回転に伴って、プランジャスプリング１５の付勢力に抗してプランジャ１３を芯出ししつつ上方に押し上げる。
本実施形態の燃料供給ポンプ１に備えられたタペット構造体１８は、ローラ１７とタペット本体部１６とから構成され、タペット本体部１６は、ローラ１７を摺動保持するローラ保持部１６ｂ、及び円柱空間１１ａの内面と摺動する摺動面１６ａを備えている。タペット構造体は、これ以外にも、例えば、ローラを備えていないタペットが用いられてもよい。
【００２８】
また、プランジャバレル１２のシリンダ１２ａの上方には小径空間部１２ｃが形成され、小径空間部１２ｃの内部には燃料吸入弁２０が配置されるとともに、プランジャバレル１２のシリンダ１２ａの側方側には、燃料吸入路１２ｂを介して側方開口部６５が形成され、側方開口部６５の内部には燃料吐出弁２２が配置されている。
また、プランジャバレル１２のシリンダ１２ａの一部は、プランジャ１３と燃料吐出弁２２とによって画成され、加圧室１４を形成している。そして、プランジャ１３の下降時に加圧室１４内部に負圧が発生したときに燃料吸入弁２０が開かれ、低圧燃料が加圧室１４に供給される。一方、プランジャ１３の上昇時には燃料吸入弁２０が閉じられるとともに加圧室１４内の燃料圧力が上昇し、燃料吐出弁２２が開かれることによって、高圧燃料が下流側のコモンレールに圧送される。
【００２９】
プランジャバレル１２のシリンダ１２ａの側方側の側方開口部６５に配置された燃料吐出弁２２は、デリバリバルブ型の弁体５１と、弁体５１を閉弁方向に付勢するバルブスプリング５３と、バルブスプリング５３の端部のうち弁体５１に係止される端部とは反対側の端部を押えるスクリュープラグ５７とを備えている。この燃料吐出弁２２は、バルブスプリング５３の付勢力によって、常時弁体５１が燃料吐出路１２ｂのエッジに設けられたシート面１２ｆにシートされて閉弁されている。そして、加圧室１４内の圧力の上昇に伴い、加圧室１４内の圧力がバルブスプリング５３の付勢力とコモンレール内の圧力との和を上回ったときに弁体５１がリフトして開弁され、高圧燃料が、バルブスプリング５３を収容する空間に流れ込むとともにアウトレットコネクタ５５を介してコモンレールに向けて吐出される。
【００３０】
２．燃料吸入弁
次に、本実施形態の燃料供給ポンプ１に備えられた燃料吸入弁２０の構成について図３及び図４を参照しながら詳細に説明する。図３は、図２に示す本実施形態の燃料供給ポンプ１における燃料吸入弁２０の周辺（図２中、一点鎖線の円Ａで囲った部分）の拡大断面図を示している。また、図４（ａ）〜（ｂ）は、本実施形態の燃料供給ポンプで使用される燃料吸入弁２０の構成を説明するための図であり、図４（ａ）は燃料吸入弁２０の斜視図を示し、図４（ｂ）はバルブボディ３３及びバルブピストン３５のみを図４（ａ）の上方側から見た平面図を示している。
【００３１】
図３及び図４に示す燃料吸入弁２０は、流量制御弁を介して送られてくる燃料を加圧室１４に供給するための弁であり、バルブピストン３５と、バルブピストン３５を摺動自在に保持するとともにバルブピストン３５のシート部３５ａがシートされるバルブボディ３３と、バルブピストン３５のシート部３５ａとは反対側の端部付近に固定されたスプリングシート３７と、バルブボディ３３及びスプリングシート３７に挟持されたバルブスプリング４１とを備えている。
【００３２】
この燃料供給ポンプの燃料吸入弁２０は、バルブスプリング４１によって常時閉弁方向に付勢されており、バルブピストン３５をリフト方向に押す、燃料吸入弁２０の上流側の低圧燃料の圧力が、加圧室１４内の圧力とバルブスプリング４１の付勢力との和を上回ったときに開弁される弁である。そのため、プランジャ１３が下降して加圧室１４内の圧力が低下したときに低圧燃料が効率的に加圧室１４に吸入されるように、燃料吸入弁２０は、加圧室１４の上方において加圧室１４に面するようにして配置されている。
具体的には、プランジャバレル１２には、シリンダ１２ａと連通し、かつ、その直径がシリンダ１２ａの直径よりも小さく形成された小径空間部１２ｃが形成されている。そして、燃料吸入弁２０を構成するバルブボディ３３は、大径部３３Ａと、小径部３３Ｂと、大径部３３Ａ及び小径部３３Ｂをつなぐ外周段差部３３Ｃとを有する段付円筒状の外形を有しており、小径部３３Ｂがプランジャバレル１２の小径空間部１２ｃ内に圧入されている。
【００３３】
このような圧入力を利用した燃料吸入弁２０の固定構造を採用すれば、燃料吸入弁２０を固定するための力が、シリンダ１２ａの軸方向に沿ってシリンダ１２ａの壁面に作用しないように構成することができる。そのため、燃料吸入弁２０をプランジャバレル１２のシリンダ１２ａの軸方向延長線上に配置する場合であっても、シリンダ１２ａの壁面に対して、シリンダ１２ａの軸方向に作用する応力の増加が防止される。したがって、シリンダ１２ａと燃料吐出路１２ｂとの交差部である燃料吐出路１２ｂの開口部のエッジに集中する応力が低減され、当該エッジの磨耗やひび割れの発生が低減される。さらに、バルブボディ３３についても、軸方向に作用する圧縮力が生じることがないため、このような圧縮力に対する強度を考慮する必要がなくなり、設計の自由度が高められる。
【００３４】
ここで、小径空間部１２ｃ内に圧入されるバルブボディ３３の圧入力は、低圧燃料が加圧室１４に吸入される際に、バルブピストン３５に対してリフト方向に作用する、加圧室１４内で生じる負の圧力と低圧燃料の吸入圧との和よりも大きくなるように設定される。したがって、加圧室１４内への燃料吸入時に燃料吸入弁２０が脱落したり位置ずれを生じたりするおそれがない。
また、燃料供給ポンプ１の加圧室１４内に生じる負の圧力の絶対値は、加圧室１４内に生じる正の圧力の最大値と比較すると小さい値であるため、小径空間部１２ｃ内に圧入されるバルブボディ３３の圧入力は比較的小さい圧力で足りる。したがって、燃料吸入弁２０の位置ずれが生じにくい一方で、燃料供給ポンプの製造時やメンテナンス時においては、燃料供給弁２０の取り外しを比較的容易に行うことができる。
【００３５】
本実施形態にかかる燃料吸入弁２０の例では、プランジャバレル１２のシリンダ１２ａと小径空間部１２ｃとをつなぐ内周段差部１２ｄに対してバルブボディ３３の外周段差部３３Ｃが当接することによって、バルブボディ３３の配置位置が規定される。したがって、加圧室１４内の圧力が上昇した場合であっても、小径空間部１２ｃの奥に向かって燃料吸入弁２０が移動するような位置ずれが生じることがない。それどころか、プランジャ１３の上昇時等、加圧室１４内に正の圧力が生じている状態では、当該加圧室１４内の圧力が補助的に燃料吸入弁２０の保持力となって作用するため、結局のところ、上述したとおり、バルブピストン３５のリフト方向に作用する、少なくとも加圧室１４内に生じる負の圧力と低圧燃料の吸入圧との和よりも大きな圧入力によってバルブボディ３３が圧入されていれば、燃料吸入弁２０の脱落や位置ずれが防止される。
【００３６】
この外周段差部３３Ｃと内周段差部１２ｄとの当接部は、加圧室１４内からの燃料漏れに対するシール面としても機能する。この当接部は、加圧室１４内の圧力が上昇するにつれて、当該圧力によって面圧が高められるため、燃料供給ポンプが要求される吐出圧の高まりに応じて、大きな面圧が得られる。したがって、バルブボディ３３の圧入力とはかかわりなく、高度のシール性が確保される。
【００３７】
図３及び図４に示すバルブボディ３３は、軸方向に沿って両端が開口した摺動孔３６を備えている。このバルブボディ３３の摺動孔３６内には、一端側にシート部３５ａが設けられるとともに他端側にスプリングシート３７が固定されたバルブピストン３５が、そのシート部３５ａを加圧室１４側に配置して摺動可能な状態で保持されている（図３を参照）。
また、バルブボディ３３の加圧室１４側の面には、摺動孔３６の直径よりも大径で、かつ、摺動孔３６と同心円状に形成された大径凹部３８が形成されており、当該大径凹部３８のエッジは、バルブピストン３５のシート部３５ａがシートされるシート面３８ａとなっている（図３を参照）。この大径凹部３８は、バルブピストン３５がシートされた状態において、大径凹部３８内に空間が形成されるように、その深さ（軸方向長さ）が設定されている。
【００３８】
また、バルブボディ３３の加圧室１４とは反対側の面には、摺動孔３６と同心円状に形成され、バルブスプリング４１が嵌め合わされてバルブスプリング４１の径方向位置を規定する突起部７１が設けられている。この突起部７１は、バルブスプリング４１が縮んだときに、後述するスプリングシート３７が当接し、バルブピストン３５の最大ストローク量が規制されるようにその高さが設定されている。
【００３９】
このバルブボディ３３の突起部７１に嵌め合わされたバルブスプリング４１の他端側は、バルブピストン３５におけるシート部３５ａ側とは反対側に固定されたスプリングシート３７によって係止されている。したがって、バルブスプリング４１はバルブボディ３３とスプリングシート３７とによって挟持され、バルブピストン３５のシート部３５ａがバルブボディ３３のシート面３８ａにシートされる方向にバルブピストン３５を付勢して、燃料吸入弁２０の開弁圧を調整するセット荷重を与えている。
【００４０】
また、上述したバルブボディ３３の摺動孔３６の周囲には、当該摺動孔３６に面してバルブボディ３３の軸方向に沿って形成された燃料通路５０が設けられ、摺動孔３６と燃料通路５０とによって一つの開口が形成されている。この燃料通路５０は、バルブスプリング４１が配置された空間とバルブボディ３３の加圧室１４側に形成された大径凹部３８とを連通している。このバルブスプリング４１側の空間と大径凹部３８とを連通する燃料通路は、バルブボディ３３に設けられる以外に、バルブピストン３５に設けられてもよいが、総流路面積やバルブピストン３５の強度を考慮すれば、バルブボディ３３に設けられることが好ましい。
【００４１】
本実施形態の燃料吸入弁２０の構成例では、図４（ｂ）に示すように、三つの燃料通路５０ａ〜５０ｃが摺動孔３６の周囲に均等な間隔で配置されている。燃料通路５０の数については特に制限されないが、本実施形態の燃料吸入弁２０では、三つの燃料通路５０ａ〜５０ｃから構成されているために、それぞれの燃料通路５０ａ〜５０ｃの面積を比較的大きくしても燃料通路５０ａ〜５０ｃ同士の間が薄肉になりにくく、バルブボディ３３の強度が確保されるとともに、バルブピストン３５の摺動部分が確保されやすくなる。
【００４２】
また、摺動孔から独立して燃料通路が設けられるのではなく、本実施形態の燃料吸入弁２０のように、燃料通路５０ａ〜５０ｃと摺動孔３６とが一つの開口をなすことにより、燃料通路と摺動孔との間に薄肉部分が形成されることがないため、強度の低下が防止されるとともに、バルブピストン３５と摺動孔３６との間の摺動部分に燃料が浸透しやすく、潤滑性が確保されやすくなる。また、燃料通路５０ａ〜５０ｃが摺動孔に面する構成であれば、バルブボディ３３の加圧室１４側に形成される大径凹部３８の直径をできるだけ小さくできるため、バルブボディ３３やバルブピストン３５のシート部３５ａがコンパクト化され、燃料吸入弁２０の大型化が防止される。したがって、燃料吸入弁２０の強度が確保されつつ、プランジャバレル１２に形成されたシリンダ１２ａよりも直径が小さい小径空間部１２ｃ内に配置可能な燃料吸入弁２０として構成できる。
【００４３】
また、かかる構成の燃料吸入弁２０が圧入された小径空間部１２ｃを有するプランジャバレル１２には、バルブボディ３３が配置される位置よりも上方のバルブスプリング４１が配置された空間に開口部が設けられた燃料通路１２ｅを備えている（図３を参照）。この燃料通路１２ｅは、低圧フィードポンプによって圧送され、流量制御弁を介して供給される低圧燃料を燃料吸入弁２０に導いている。したがって、燃料吸入弁２０のバルブピストン３５がバルブボディ３３のシート面３８ａからリフトしたときに、低圧燃料が、バルブボディ３３の軸方向燃料通路５０を介して加圧室１４に供給される。
【００４４】
また、図３に示す燃料供給ポンプの例では、燃料吸入弁２０が圧入される小径空間部１２ｃは、シリンダ１２ａ側とは反対側の端部がプランジャバレル１２の外面に貫通しているとともに、プランジャバレル１２の外部から挿入されるスクリュープラグ３１によって閉じられている。したがって、燃料吸入弁２０がシリンダ１２ａ側から圧入される本実施形態のような燃料供給ポンプであっても、組み立て時やメンテナンス時等においては、スクリュープラグ３１を外すとともに治具等を用いて燃料吸入弁２０を押出すことによって、燃料吸入弁２０が容易に取り外しできる。
一方、燃料吸入弁２０を組み付けた後、燃料吸入弁２０を取り外す必要性がないような場合には、図５に示すように、シリンダ１２ａ側からドリル等で切削加工されて形成され、シリンダ１２ａ側とは反対側の端部が閉じられた非貫通穴として小径空間部１２ｃを構成することもできる。このような小径空間部１２ｃであれば、スクリュープラグなどを利用して貫通穴を塞ぐような構成と比較して燃料シール部が省略されるため、燃料供給ポンプの外部への燃料漏れが防止される。
【００４５】
以上説明したように、本実施形態の燃料供給ポンプ１によれば、シリンダ１２ａの上方に燃料吸入弁２０が配置される場合において、バルブボディ３３がシリンダ１２ａの上方の小径空間部１２ｃ内に圧入して固定されているため、シリンダ１２ａに対して軸方向に作用する力が低減される。したがって、加圧室１４から分岐する燃料吐出路１２ｂの開口部のエッジに作用する応力を低減することができ、燃料吐出路１２ｂの開口部のエッジのひび割れや磨耗が生じにくくなり、燃料供給ポンプ１の耐久性を向上させることができる。
【図面の簡単な説明】
【００４６】
【図１】本発明の実施の形態にかかる燃料供給ポンプの構成例を説明するための横断面図である。
【図２】燃料供給ポンプの構成例を説明するための縦断面図である。
【図３】燃料吸入弁の構成例を説明するための断面図である。
【図４】燃料吸入弁の構成例を説明するための斜視図及び平面図である。
【図５】燃料吸入弁を圧入する小径空間部の別の例を示す図である。
【図６】従来の燃料吸入弁の構成を説明するための図である。
【符号の説明】
【００４７】
１：燃料供給ポンプ、３：低圧フィードポンプ部、５：流量制御弁、１０：高圧ポンプ部、１１：ポンプハウジング、１１ａ：円柱空間、１１ｂ：カム室、１２：プランジャバレル、１２ａ：シリンダ、１２ｂ：燃料吐出路、１２ｃ：小径空間部、１２ｄ：内周段差部、１２ｅ：燃料通路、１２ｆ：シート面、１３：プランジャ、１４：加圧室、１５：プランジャスプリング、１６：タペット本体部、１６ａ：摺動面、１６ｂ：ローラ保持部、１７：ローラ、１８：タペット構造体、１９：スプリングシート、２０：燃料吸入弁、２１：カム、２２：燃料吐出弁、２３：カムシャフト、３１：スクリュープラグ、３３：バルブボディ、３３Ａ：大径部、３３Ｂ：小径部、３３Ｃ：外周段差部、３５：バルブピストン、３５ａ：シート部、３６：摺動孔、３７：スプリングシート、３７ａ：スプリング係止部、３８：大径凹部、３８ａ：シート面、４１：バルブスプリング、５０・５０ａ・５０ｂ・５０ｃ：軸方向燃料通路、５１：弁体、５３：バルブスプリング、５５：アウトレットコネクタ、５７：スクリュープラグ、６５：側方開口部、７１：突起部、９１：燃料タンク、９３：コモンレール、９５：インジェクタ
【図１】
2010121452.tif 000003
【図２】
2010121452.tif 000004
【図３】
2010121452.tif 000005
【図４】
2010121452.tif 000006
【図５】
2010121452.tif 000007
【図６】
2010121452.tif 000008